(57)【要約】【課題】読取位置にある原稿で反射した光が受光素子に至る光路に進入しないように設けられた光学部材の保持体と比べて、保持体の重量を増すことなくその機械的強度を向上させることができる画像読取装置及び画像形成装置を提供する。【解決手段】画像読取装置１は、原稿を照射するＬＥＤ１４１と、原稿で反射した光を受光するＣＣＤ１６１とを備え、原稿からの反射光を第１及び第２のミラー１５１，１５２によりＣＣＤ１６１に導く第２のキャリッジ１５において、第１及び第２のミラー１５１，１５２とが対向してなる光路４０のうち結像に寄与しない不使用領域４３の一部を遮断するように当該２つのミラー１５１，１５２を支持するための進入部１５３ｃをフレーム１５３に設ける。【選択図】図７
2011087238.tif 000002
【特許請求の範囲】
【請求項１】
原稿に光を照射する光源と、
前記原稿で反射した光を受光する受光素子と、
前記原稿で反射した光を前記受光素子に導く光学部材と、
前記原稿で反射した光が前記光学部材を介して前記受光素子に至る光路の一部に外部から進入するように設けられた進入部を有して前記光学部材を保持する保持体と、
を備えた画像読取装置。
【請求項２】
前記保持体の前記進入部は、前記光路のうち前記受光素子の結像に寄与しない光路を遮断する位置に設けられている請求項１に記載の画像読取装置。
【請求項３】
前記光学部材は、互いに対向する第１及び第２のミラーであり、前記保持対の前記進入部は、前記第１及び第２のミラーが対向する空間内にある光路の一部に外部から進入している請求項１又は２に記載の画像読取装置。
【請求項４】
前記保持体の前記進入部が進入する光路の一部は、前記第１及び第２のミラーの不使用領域で挟まれた空間である請求項３に記載の画像読取装置。
【請求項５】
前記保持体は、前記進入部を有し、副走査方向に移動する枠体と、前記枠体の前記進入部に固定され、前記第１及び第２のミラーを支持する支持部材とを備えた請求項３又は４に記載の画像読取装置。
【請求項６】
前記保持体の前記進入部は、前記第１及び第２のミラーの長手方向の両端側にそれぞれ設けられている請求項５に記載の画像読取装置。
【請求項７】
前記支持部材は、当該支持部材の本体を挟んで前記進入部とは反対側においても前記枠体に固定されている請求項５又は６に記載の画像読取装置。
【請求項８】
請求項１乃至７のいずれか１項に記載の画像読取装置と、
前記画像読取装置によって前記原稿から読み取られた画像を記録媒体に形成する画像形成部とを備えた画像形成装置。
【発明の詳細な説明】
【技術分野】
【０００１】
本発明は、画像読取装置及び画像形成装置に関する。
【背景技術】
【０００２】
従来、複写機等の画像形成装置に用いられ、原稿を光学的に走査して画像を読み取る画像読取装置が知られている（例えば、特許文献１参照）。
【０００３】
この画像読取装置では、原稿に照射した光を、副走査方向に移動するキャリッジに搭載したミラー等の光学部材を介して受光素子に導くことにより画像が読み取られる。光学部材を保持する保持体は、原稿で反射した光が受光素子に至る光路に進入しないように設けられている。
【先行技術文献】
【特許文献】
【０００４】
【特許文献１】特開平６−２５８８８２
【発明の概要】
【発明が解決しようとする課題】
【０００５】
本発明の目的は、読取位置にある原稿で反射した光が受光素子に至る光路に進入しないように設けられた光学部材の保持体と比べて、保持体の重量を増すことなくその機械的強度を向上させることができる画像読取装置及び画像形成装置を提供することにある。
【課題を解決するための手段】
【０００６】
本発明の一態様は、上記目的を達成するため、以下の画像読取装置及び画像形成装置を提供する。
【０００７】
［１］原稿に光を照射する光源と、前記原稿で反射した光を受光する受光素子と、前記原稿で反射した光を前記受光素子に導く光学部材と、前記原稿で反射した光が前記光学部材を介して前記受光素子に至る光路の一部に外部から進入するように設けられた進入部を有して前記光学部材を保持する保持体とを備えた画像読取装置。
【０００８】
［２］前記保持体の前記進入部は、前記光路のうち前記受光素子の結像に寄与しない光路を遮断する位置に設けられている前記［１］に記載の画像読取装置。
【０００９】
［３］前記光学部材は、互いに対向する第１及び第２のミラーであり、前記保持体の前記進入部は、前記第１及び第２のミラーが対向する空間内にある光路の一部に外部から進入している前記［１］又は［２］に記載の画像読取装置。
【００１０】
［４］前記保持体の前記進入部が進入する光路の一部は、前記第１及び第２のミラーの不使用領域で挟まれた空間である前記［３］に記載の画像読取装置。
【００１１】
［５］前記保持体は、前記進入部を有し、副走査方向に移動する枠体と、前記枠体の前記進入部に固定され、前記第１及び第２のミラーを支持する支持部材とを備えた前記［３］又は［４］に記載の画像読取装置。
【００１２】
［６］前記保持体の前記進入部は、前記第１及び第２のミラーの長手方向の両端側にそれぞれ設けられている前記［５］に記載の画像読取装置。
【００１３】
［７］前記支持部材は、当該支持部材の本体を挟んで前記進入部とは反対側においても前記枠体に固定されている前記［５］又は［６］に記載の画像読取装置。
【００１４】
［８］前記［１］乃至［７］のいずれか１つに記載の画像読取装置と、
前記画像読取装置によって前記原稿から読み取られた画像を記録媒体に形成する画像形成部とを備えた画像形成装置。
【発明の効果】
【００１５】
請求項１、７に記載の発明によれば、原稿で反射した光が受光素子に至る光路進入しないように設けられた光学部材の保持体と比べて保持体の重量を増すことなくその機械的強度を向上させることができる。
【００１６】
請求項２、４に記載の発明によれば、読み取った画像を劣化させないようにすることができる。
【００１７】
請求項３に記載の発明によれば、保持体の重量を増すことなくその機械的強度を向上させることができる。
【００１８】
請求項５に記載の発明によれば、移動する保持体の重量を増すことなくその機械的強度を向上させることができる。
【００１９】
請求項６に記載の発明によれば、第１及び第２のミラーの長手方向の両端を支持することができる。
【００２０】
請求項７に記載の発明によれば、進入部にのみ固定された構成と比べて支持部材の機械的強度を向上させることができる。
【図面の簡単な説明】
【００２１】
【図１】図１は、本発明の実施の形態に係る画像読取装置を有する画像形成装置の構成例を示す正面図である。
【図２】図２は、本発明の実施の形態に係る画像読取装置の内部構造を示す正面図である。
【図３】図３は、本発明の実施の形態に係る第２のキャリッジの外観を示す斜視図である。
【図４】図４は、本発明の実施の形態に係る第２のキャリッジの主要な部材を分解して示す分解斜視図である。
【図５】図５（ａ）、（ｂ）は、それぞれ本発明の実施の形態に係る第１のホルダ及び第２のホルダの外観を示す斜視図である。
【図６】図６は、本発明の実施の形態に係る第２のキャリッジの一端部を示す縦断面図である。
【図７】図７は、本発明の実施の形態に係る第２のキャリッジの一端部を拡大して示す平面図である。
【発明を実施するための形態】
【００２２】
以下、本発明に係る画像読取装置が備えられる画像形成装置の好適な実施の形態を説明する。
【００２３】
（画像形成装置１００の構成）
図１は、本発明の実施の形態による画像形成装置１００の正面図であり、画像読取装置１の外観、及び画像読取装置１の下側に配置された本体部１００Ａの内部構造を示している。
【００２４】
この画像形成装置１００は、原稿９から画像を読み取る画像読取装置１と、読み取った画像を記録媒体としての用紙３０に印刷する画像形成部２と、画像形成部２に用紙を供給するトレイ部３とを備えて構成されている。画像読取装置１は、画像形成部２及びトレイ部３を収容する本体部１００Ａとの間に印刷された用紙が排出される空間を形成するように、支持部４によって本体部１００Ａの上側に支持されている。
【００２５】
画像読取装置１の筐体１２の前面にあたる前壁１２１の上部には、ユーザーに操作メニューを提示して各種設定等の操作を受け付けるタッチパネル１１１及び複数の操作ボタン１１２を有するコントロールパネル１１０が設けられている。また、コントロールパネル１１０の上側には、筐体１２に対して開閉可能な原稿カバー１０が配置されている。原稿カバー１０の一部には、給紙トレイ１０１ａに置かれた原稿９を読取位置に搬送し、読み取り後の原稿９を排紙台１０１ｂに排出する自動給紙部１０１が設けられている。
【００２６】
画像形成部２は、中間転写ベルト２０と、この中間転写ベルト２０にイエロー（Ｙ），マゼンダ（Ｍ），シアン（Ｃ），ブラック（Ｋ）の各色のトナー画像を転写する第１乃至第４の画像形成ユニット２５Ｙ，２５Ｍ，２５Ｃ，２５Ｋと、画像情報に基づいて変調されたレーザー光を第１乃至第４の画像形成ユニット２５Ｙ，２５Ｍ，２５Ｃ，２５Ｋに照射する光学走査装置２５０とを備えている。
【００２７】
第１の画像形成ユニット２５Ｙは、感光ドラム２５１と、感光ドラム２５１の表面を一様に帯電する帯電器２５２と、感光ドラム２５１の表面に光学走査装置２５０によって形成された静電潜像をトナーで現像してトナー画像を形成する現像器２５３と、中間転写ベルト２０を感光ドラム２５１に押し付ける一次転写ローラ２５４とを有している。第２乃至第４の画像形成ユニット２５Ｍ，２５Ｃ，２５Ｋも第１の画像形成ユニット２５Ｙと同様に構成されている。
【００２８】
中間転写ベルト２０は、図示しないモータに連結された駆動ローラ２１によって駆動され、第１の従動ローラ２２、第２の従動ローラ２３、及び中間転写ベルト２０に張力を付与するテンションローラ２４によって形成される循環経路に沿って回転する。
【００２９】
また、画像形成部２は、中間転写ベルト２０を挟んで第２の従動ローラ２３と対向する位置に配置された二次転写ローラ２６と、二次転写ローラ２６の上側に配置された定着ユニット２７と、定着ユニット２７を通過した用紙を排出台２９に排出する排出ローラ２８とを備えている。定着ユニット２７には、ヒーターを内蔵した定着ローラ２７１と、定着ローラ２７１に向かって加圧された加圧ローラ２７２が備えられている。
【００３０】
トレイ部３は、上下方向に並んで配置された第１乃至第３のトレイ３１〜３３を有している。トレイ３１〜３３は、向きや大きさ、あるいは紙質等の異なる用紙３０をそれぞれの種別ごとに格納するために複数設けられている。
【００３１】
また、トレイ部３は、第１乃至第３のトレイ３１〜３３のそれぞれに対応して、格納された用紙３０を取り出すためのピックアップローラ３４Ａ，３４Ｂ，３４Ｃと、複数の用紙３０が取り出された場合にそれらを分離する分離ローラ３５Ａ，３５Ｂ，３５Ｃと、分離ローラ３５Ａ，３５Ｂ，３５Ｃを経た用紙３０をさらに搬送するレジローラ３６Ａ，３６Ｂ，３６Ｃとを備えている。
【００３２】
レジローラ３６Ａ，３６Ｂ，３６Ｃは、画像形成部２による画像形成のタイミングに同期して動作し、第１乃至第３のトレイ３１〜３３からピックアップローラ３４Ａ，３４Ｂ，３４Ｃにより取り出された用紙３０を搬送路３７に沿って二次転写ローラ２６と中間転写ベルト２０との間に導くように構成されている。
【００３３】
（画像読取装置１の構成）
図２は、画像読取装置１の内部構造を示す正面図である。なお、この図では筐体１２の前壁１２１及び原稿カバー１０等の図示を省略している。
【００３４】
画像読取装置１は、筐体１２の内部に、副走査方向（図２の左右方向）に往復移動可能に設けられた第１及び第２のキャリッジ１４，１５と、副走査方向の折り返し位置の下方に設けられたレンズ１６０及び受光素子としてのＣＣＤ（Charge Coupled Device）１６１等からなる画像読取部１６とを備えて構成されている。
【００３５】
筐体１２は、上壁１２２と、上壁１２２に対向する底壁１２３と、底壁１２３を挟んで副走査方向において互いに対向する側壁１２４，１２５と、主走査方向（図２の紙面に直交する方向）において互いに対向する前壁１２１（図１参照）及び後壁１２６とを有して、概略矩形箱状に形成されている。
【００３６】
原稿カバー１０（図１参照）に対向する上壁１２２には、原稿９が置かれる読取位置に対応して開口部１２２ａが形成されている。そして、この開口部１２２ａを塞ぐように透明なプラテンガラス１２０が嵌着されている。原稿９がプラテンガラス１２０上に置かれた場合には、第１及び第２のキャリッジ１４，１５が移動することにより画像の読み取り走査がされる。
【００３７】
後壁１２６には、副走査方向に延びる第１のレール１３１が固定されている。また、底壁１２３には、第１のレール１３１と並行して同じく副走査方向に延びる第２のレール１３２が固定されている。第１のレール１３１及び第２のレール１３２は、主走査方向において並ぶようにそれぞれ２つずつ配置されているが、図２ではそれらの一方のみを図示している。
【００３８】
第１のキャリッジ１４は、主走査方向を長手方向とする基板１４０と、基板１４０に実装され読取位置にある原稿９を照射する光源として主走査方向に沿って一列に配列された複数のＬＥＤ１４１と、基板１４０とは互いに平行になるように主走査方向に延びる導光体１４２と、導光体１４２からの出射光の一部を原稿９へ向けて反射するリフレクタ１４３と、原稿９からの反射光を受けるミラー１４４とを備えており、それぞれが所定の位置に配置されている。
【００３９】
第１のキャリッジ１４は、第１のレール１３１に移動可能に取り付けられている。すなわち、第１のキャリッジ１４は、前述の導光体１４２等の各部材とともに第１のレール１３１に案内されて副走査方向に１走査ラインずつ移動し、原稿９からの反射光を次段の第２のキャリッジ１５へ出射する。
【００４０】
導光体１４２は、アクリル等の光透過性を有する材料で形成された棒状の多面体であり、ＬＥＤ１４１からの光が入射する入射面１４２ａと、入射面１４２ａから入射した入射光の一部を内部反射及び屈折させて原稿９側へ出射する第１の出射面１４２ｂと、同入射光をリフレクタ１４３側へ出射する第２の出射面１４２ｃとを有して形成されている。
【００４１】
第２のキャリッジ１５は、第１のキャリッジ１４のミラー１４４からの光を受ける第１のミラー１５１と、この第１のミラー１５１からの反射光を受ける第２のミラー１５２とを備えている。詳細は後述するが、第１のキャリッジ１４を介して入射した光を第１のミラー１５１が受け第２のミラー１５２へ反射するとともに、第２のミラー１５２がこの反射光を画像読取部１６に向けて反射するように、それぞれのミラーが後述する所定位置に配置されている。
【００４２】
また、第２のキャリッジ１５は、第２のレール１３２に移動可能に取り付けられている。そして、第２のキャリッジ１５は、前述の第１のキャリッジ１４に連動し、第２のレール１３２に案内されながら副走査方向に沿って往復移動可能に構成されている。
【００４３】
すなわち、第１のキャリッジ１４及び第２のキャリッジ１５は、画像の読取位置から後述するＣＣＤ１６１までの光路長が一定となるように図示しない駆動機構によって駆動され、第２のキャリッジ１５の移動量は第１のキャリッジ１４の移動量に対し半分の量となっている。ここで、図２は、第１のキャリッジ１４が副走査方向における折り返し位置に移動したときの第１及び第２のキャリッジ１４，１５を二点鎖線で示している。
【００４４】
画像読取部１６は、第２のキャリッジ１５からの反射光を集光するレンズ１６０と、基板１６２に実装されレンズ１６０を介して集光された光を検出する受光素子であるＣＣＤ（Charge Coupled Device）１６１とを備えている。レンズ１６０及びＣＣＤ１６１は、原稿９で反射した画像情報を含む反射光がＣＣＤ１６１において結像するように、第２のレール１３２に支持されたベース板１３３上の所定位置にそれぞれ固定されている。
【００４５】
画像読取部１６は、第１及び第２のキャリッジ１４，１５を介して出射された原稿９の画像情報を含む反射光をＣＣＤ１６１が検出することにより原稿９の１走査ラインごとの画像情報を画像データに変換し、この画像データを画像読取装置１の制御部に出力する。
【００４６】
（第２のキャリッジ１５の構成）
次に、前述した画像読取装置１に備えられる第２のキャリッジ１５の構成を説明する。
【００４７】
図３は、第２のキャリッジ１５の外観を示す斜視図である。また、図４は、第２のキャリッジ１５の主要な部材を分解して示す分解斜視図である。
【００４８】
第２のキャリッジ１５は、互いに９０度の角度をなして対向する第１及び第２のミラー１５１，１５２と、枠体としてのキャリッジフレーム１５３と、第１及び第２のミラー１５１，１５２をそれぞれ支持する支持部材としての第１及び第２のホルダ１５４，１５５とを備えている。なお、キャリッジフレーム１５３、第１及び第２のホルダ１５４，１５５は、第１及び第２のミラー１５１，１５３を保持する保持体を構成する。
【００４９】
キャリッジフレーム１５３は、例えば鋼材、アルミニウム等の金属板を板金加工することにより形成される。キャリッジフレーム１５３は、主走査方向（前後方向）を長手方向とする略板状の長尺部材であり、その中央で若干左側に偏位する位置に、主走査方向に沿って長い略四角形の開口１５３ａが形成されている。この開口１５３ａは、第１及び第２のミラー１５１，１５２がキャリッジフレーム１５３に支持されたときに、これらミラー１５１，１５２が対向してなる空間４１（図６参照）を通す位置に対応して形成されている。
【００５０】
また、キャリッジフレーム１５３には、第１及び第２のホルダ１５４，１５５を取り付けるための固定用孔１５３ｈ，１５３ｊ及び位置決用孔１５３ｉ，１５３ｋがフレームの長手方向の両端部にそれぞれ４つずつ計８箇所に形成されている。
【００５１】
ここで、図４に示されるように、キャリッジフレーム１５３には、四角形の開口１５３ａの両端側においてその左側の縁が内側に拡張するように進入する進入部１５３ｃがそれぞれ２箇所に一体形成されている。そして、前述した固定用孔１５３ｊ及び位置決用孔１５３ｋがこの進入部１５３ｃに形成されている。また、進入部１５３ｃが形成された開口１５３ａの縁に隣接する前後の縁に固定用孔１５３ｈ及び位置決用孔１５３ｉがそれぞれ形成されている。
【００５２】
また、キャリッジフレーム１５３には、その本体の外縁が上方に折り曲げられた形状のリブ１５９ａと、開口１５３ａの左縁が上方に折り曲げられた形状のリブ１５９ｂと、開口１５３ａの右縁が上方に折り曲げられた形状のリブ１５９ｃとが形成されている。
【００５３】
第１及び第２のホルダ１５４，１５５は、第１及び第２のミラー１５１，１５２の各端部を支持してキャリッジフレーム１５３に固定するための支持部材であり、金属板を板金加工することによりそれぞれ形成されている。
【００５４】
図５（ａ）、（ｂ）は、それぞれ第１及び第２のホルダ１５４，１５５の外観を示す斜視図である。
【００５５】
第１のホルダ１５４は、図５（ａ）に示すように、平面視Ｌ字状の基板１５４ａに、第１のミラー１５１及び第２のミラー１５２の各一端部を挿入させ支持するための矩形状の開口１５４ｂ，１５４ｃがそれぞれ形成されている。また、第１のホルダ１５４には、基板１５４ａから外側に折れてなる第１のブラケット部１５４ｄが一体形成され、このブラケット部１５４ｄに固定用孔１５４ｈと位置決用孔１５４ｉがそれぞれ形成されている。
【００５６】
さらに、第１のホルダ１５４には、基板１５４ａの一端から後方に折れて延び、更にその上端が内側に折れてなる断面Ｌ字状の第２のブラケット部１５４ｅが一体形成されている。そして、この第２のブラケット部１５４ｅに、固定用孔１５４ｊと位置決用孔１５４ｋがそれぞれ形成されている。
【００５７】
第２のホルダ１５５は、図５（ｂ）に示すように、第１のホルダ１５４とはほぼ左右対称の形状に形成されている。すなわち、第２のホルダ１５５は、基板１５５ａに第１及び第２のミラー１５１，１５２を挿入させる開口１５５ｂ，１５５ｃが形成され、基板１５５ａから外側に折れてなる第１のブラケット部１５５ｄと、基板１５５ａの一端から前方に折れて延び更にその上端が内側に折れてなる断面Ｌ字状の第２のブラケット部１５５ｅとが一体形成されている。また、第１のブラケット部１５５ｄには固定用孔１５５ｈと位置決用孔１５５ｉが形成され、第２のブラケット部１５５ｅには固定用孔１５５ｊと位置決用孔１５５ｋがそれぞれ形成されている。
【００５８】
さらに、第２のホルダ１５５には、その開口１５５ｂの上縁部にミラー固定部１５５ｇが一体形成されている。
【００５９】
（第２のキャリッジの組立方法）
次に、第２のキャリッジ１５の主要部の組立方法の一例について説明する。第１のホルダ１５４は、キャリッジフレーム１５３の開口１５３ａの前方側に取り付けられる。すなわち、第１のホルダ１５４は、その頂部が開口１５３ａの下側から挿入され、第１のブラケット部１５４ｄの固定用孔１５４ｈ及び位置決用孔１５４ｉとこれらに対応するキャリッジフレーム１５３側の固定用孔１５３ｈ及び位置決用孔１５３ｉとを一致させ、同時に第２のブラケット部１５４ｅの固定用孔１５４ｊ及び位置決用孔１５４ｋと対応する進入部１５３ｃの固定用孔１５３ｊ及び位置決用孔１５３ｋとを一致させる。そして、ピン１５７（図６参照）を位置決用孔１５３ｉ，１５４ｉ及び位置決用孔１５３ｋ，１５４ｋに挿入し位置決めをした後、リベット１５６（図６参照）を固定用孔１５３ｈ，１５４ｈ及び固定用孔１５３ｊ，１５４ｊにそれぞれ挿入してこれを圧着する（かしめる）ことにより、第１のホルダ１５４が、キャリッジフレーム１５３の所定位置に固定される。
【００６０】
第１のホルダ１５４がその本体である基板１５４ａを挟んで２つのブラケット部１５４ｄ，１５４ｅで両側からキャリッジフレーム１５３に固定されることにより、第１のホルダ１５４のキャリッジフレーム１５３に対する曲げ剛性が、第２のブラケット部１５４ｅがないものと比べて、より向上する。
【００６１】
同様に、第２のホルダ１５５についても、キャリッジフレーム１５３の後方側において、第１のブラケット部１５５ｄの固定用孔１５５ｈ及び位置決用孔１５５ｉとこれらに対応するキャリッジフレーム１５３側の固定用孔１５３ｈ及び位置決用孔１５３ｉとを一致させ、同時に第２のブラケット部１５５ｅの固定用孔１５５ｊ及び位置決用孔１５５ｋと対応する進入部１５３ｃの固定用孔１５３ｊ及び位置決用孔１５３ｋとを一致させてかしめることにより、第２のホルダ１５５がキャリッジフレーム１５３に固定される。
【００６２】
また、第２のホルダ１５５がその本体を挟んで２つのブラケット部１５５ｄ，１５５ｅでキャリッジフレーム１５３に固定されることにより、キャリッジフレーム１５３に対する曲げ剛性が、第２のブラケット部１５５ｅがないものと比べて、より向上する。
【００６３】
さらに、第１及び第２のホルダ１５４，１５５がキャリッジフレーム１５３の開口１５３ａの角部を架け渡すように取り付けられるので、長手方向を軸とするキャリッジフレーム１５３のねじれ剛性も高めることができる。
【００６４】
第１及び第２のミラー１５１，１５２は、それぞれ一端が第１のホルダ１５４の開口１５４ｂ，１５４ｃに挿入され、他端が第２のホルダ１５５の開口１５５ｂ，１５５ｃに挿入された後、図示しないばね部材を介して圧接されることにより、ホルダ１５４，１５５に支持される。
【００６５】
このようにして、第２のキャリッジ１５の主要部が組み立てられる。
【００６６】
（第１及び第２のホルダと光路との位置関係）
次に、第１及び第２のホルダ１５４，１５５と光路との位置関係を図面を参照して説明する。
【００６７】
図６は、第２のキャリッジ１５の断面を示す図であり、図３に示されるＡ−Ａ線で切断した場合の縦断面図である。
【００６８】
第１及び第２のミラー１５１，１５２が第１及び第２のホルダ１５４，１５５に設けられた状態では、第１及び第２のミラー１５１，１５２は一定の間隔をおいて相互に９０度の角度をなして対向する。このとき、第１のミラー１５１の鏡面１５１ａと第２のミラー１５１の鏡面１５２ａとが対向してなる空間４１が、キャリッジフレーム１５３の開口１５３ａを貫通することとなる。
【００６９】
すなわち、第２のキャリッジ１５は、第１のキャリッジ１４（図２参照）からの入射光Ｒ１を受けて第１のミラー１５１で反射された反射光Ｒ２が、全体の光路４０の一部である、ミラー１５１，１５２が対向する空間４１を経由して第２のミラー１５２へ進み、この第２のミラー１５２で反射された出射光Ｒ３が画像読取装置１６（図２参照）へ向けて出射されるように構成されている。
【００７０】
図７は、第２のキャリッジ１５の前方側端部を拡大して示す平面図であり、第１のミラー１５１を取り外した状態を表している。この図からも解るように、キャリッジフレーム１５３の一部に形成した進入部１５３ｃと、進入部１５３ｃに固定されている第１のホルダ１５４の第２のブラケット部１５４ｅとは、第１及び第２のミラー１５１，１５２が対向してなる空間４１（図６参照）の一部に外側から進入する位置に配置される。図では示さないが、第２のキャリッジ１５の後方側の進入部１５３ｃの構成も同様である。なお、第１及び第２のミラー１５１，１５２が対向してなる空間４１は、画像の読取位置からＣＣＤ１６１までの光路４０全体うちの一部をなしている。
【００７１】
一方、第１及び第２のミラー１５１，１５２にあっては、ＣＣＤ１６１における結像に寄与する光を反射する使用領域としての結像領域４２と、結像に寄与しない不使用領域としての非結像領域４３が存在する。図７では、第２のミラー１５２における結像領域４２と非結像領域４３の境界を二点鎖線で示している。また、図７に示す結像領域４２は、第２のキャリッジ１５が副走査方向に移動する範囲において、最大の範囲を示している。
【００７２】
一般に、結像領域４２は、第１及び第２のミラー１５１，１５２の長手方向中央において当該ミラー１５１，１５２の鏡面のほぼ全面を占め、ミラー１５１，１５２の両端に近づくに従ってその領域が狭くなっている。言い換えると、ミラー１５１，１５２の長方形の鏡面のうち、結像領域４２を除く４隅近傍に非結像領域４３が存在している。
【００７３】
前述したように、第１及び第２のミラー１５１，１５２を支持する２箇所の進入部１５３ｃ，１５３ｃとこれに固定されている第１及び第２のホルダ１５４，１５５のブラケット部１５４ｅ，１５５ｅとは、光路４０の一部をなす空間４１の一部に進入する構成となっている。しかし、これら進入部１５３ｃ等で遮断された空間４１は２つのミラー１５１，１５２の各隅部に比較的広く存在する非結像領域４３で挟まれた空間でもある。このため、本実施の形態のようにその領域で反射された反射光Ｒ２を一部遮断するようなフレーム構造を採用したとしても、画像の読み取り性能にはなんら影響を及ぼさず、また読み取った画像の画質を劣化させることもない。
【００７４】
（画像形成装置１００の動作）
この画像形成装置１００は、ユーザーが給紙トレイ１０１ａの上、又はプラテンガラス１２０の上に原稿９を置き、コントロールパネル１１０のタッチパネル１１１又は操作ボタン１１２を操作して原稿の複写を指示すると、画像読取装置１が原稿９の画像の読み取りを開始する。画像読取装置１の制御部は、給紙トレイ１０１ａの上に原稿９が挿入されたのを検知した場合には、自動給紙部１０１を制御して原稿９の画像の読み取り走査を行う。そして、制御部は、読み取った原稿９を排出台１０１ｂに排出する。
【００７５】
原稿９がプラテンガラス１２０上に置かれた場合（給紙トレイ１０１ａに原稿９が検知されなかった場合）には、画像読取装置１の制御部は、コントロールパネル１１０への複写指示に応じて第１のキャリッジ１４に設けられた複数のＬＥＤ１４１に電流を供給して順次発光させ、原稿９の主走査方向における１ラインの画像情報を読み取る。そして、制御部は、この走査を第１のキャリッジ１４及び第２のキャリッジ１５を副走査方向に順次移動させながら１ラインごとに行うことにより、原稿９全体の画像を読み取って画像データに変換する。また、画像読取装置１の制御部は、読み取った画像データを画像形成部２の光学走査装置２５０に送信する。
【００７６】
画像形成部２の光学走査装置２５０は、ＹＭＣＫ各色の画像データに基づいて変調された光ビームを帯電器２５２によって帯電された感光ドラム２５１に照射して、感光ドラム２５１の表面に静電潜像を形成する。この静電潜像は、現像器２５３によりトナーで現像されてトナー像が形成される。感光ドラム２５１上のトナー画像は、一次転写ローラ２５４によって中間転写ベルト２０に転写される。
【００７７】
一方、第１乃至第３のトレイ３１，３２，３３の何れか１つ、例えば第１のトレイ３１からは、ピックアップローラ３４Ａによって用紙３０が用紙搬送路３７に取り込まれ、分離ローラ３５Ａによって捌かれた後、レジローラ３６Ａによって二次転写ローラ２６と中間転写ベルト２０との間に搬送され、中間転写ベルト２０上のトナー像が用紙３０に転写される。その後、用紙３０に転写されたトナー像が定着ユニット２７によって定着され、用紙０が排出ローラ２８によって排出台２９に排出される。
【００７８】
画像形成装置１００のかかる動作により、原稿９の画像が用紙３０に複写される。
【００７９】
以上、本発明に好適な実施の形態を説明したが、本発明はこの形態に限定するものではなく、その要旨を変更しない範囲内で種々の変形が可能である。例えば、キャリッジフレーム１５３に形成される進入部１５３ｃを第１及び第２のミラー１５１，１５２が対向する空間４１以外の光路４０の一部に進入するような構成であってもよい。
【符号の説明】
【００８０】
１…画像読取装置、２…画像形成部、３…トレイ部、４…支持部、９…原稿、１０…原稿カバー、１２…筐体、１４…第１のキャリッジ、１５…第２のキャリッジ、１６…画像読取部、２０…中間転写ベルト、２１…駆動ローラ、２２…第１の従動ローラ、２３…第２の従動ローラ、２４…テンションローラ、２５Ｙ…第１の画像形成ユニット、２５Ｍ…第２の画像形成ユニット、２５Ｃ…第３の画像形成ユニット、２５Ｋ…第４の画像形成ユニット、２６…二次転写ローラ、２７…定着ユニット、２７１…定着ローラ、２７２…加圧ローラ、２８…排出ローラ、２９…排出台、３０…用紙、３１…第１のトレイ、３２…第２のトレイ、３３…第３のトレイ、３４Ａ，３４Ｂ，３４Ｃ…ピックアップローラ、３５Ａ，３５Ｂ，３５Ｃ…分離ローラ、３６Ａ，３６Ｂ，３６Ｃ…レジローラ、３７…搬送路、４０…光路、４１…空間、４２…結像領域、４３…非結像領域、１００…画像形成装置、１００Ａ…本体部、１０１・・・自動給紙部、１０１ａ・・・給紙トレイ、１０１ｂ・・・排紙台、１１０…コントロールパネル、１１１…タッチパネル、１１２…操作ボタン、１２０…プラテンガラス、１２１…前壁、１２２…上壁、１２２ａ…開口部、１２３…底壁、１２４…側壁、１２５…側壁、１２６…後壁、１３１…第１のレール、１３２…第２のレール、１３３…ベース板、１４０…基板、１４１・・・ＬＥＤ、１４２…導光体、１４２ａ…入射面、１４２ｂ…第１の出射面、１４２ｃ…第２の出射面、１４３…リフレクタ、１４４…ミラー、１５１…第１のミラー、１５１ａ…鏡面、１５２…第２のミラー、１５２ａ…鏡面、１５３…キャリッジフレーム、１５３ａ…開口、１５３ｈ…固定用孔、１５３ｉ…位置決用孔、１５３ｊ…固定用孔、１５３ｋ…位置決用孔、１５４…第１のホルダ、１５４ａ…基板、１５４ｂ，１５４ｃ…開口、１５４ｄ…第１のブラケット部、１５４ｅ…第２のブラケット部、１５５…第２のホルダ、１５５ａ…基板、１５５ｂ，１５５ｃ…開口、１５５ｄ…第１のブラケット部、１５５ｅ…第２のブラケット部、１５５ｇ…ミラー固定部、１５６…リベット，１５７…ピン、１５９ａ，１５９ｂ，１５９ｃ…リブ、１６０…レンズ、１６１…ＣＣＤ、１６２…基板、２５０…光学走査装置、２５１…感光ドラム、２５２…帯電器、２５３…現像器、２５４…一次転写ローラ、Ｒ１…入射光、Ｒ２…反射光、Ｒ３…出射光
【図１】
2011087238.tif 000003
【図２】
2011087238.tif 000004
【図３】
2011087238.tif 000005
【図４】
2011087238.tif 000006
【図５】
2011087238.tif 000007
【図６】
2011087238.tif 000008
【図７】
2011087238.tif 000009